(57)【特許請求の範囲】
【請求項１】
異なる色の発光素子を有し、発光素子群を構成する複数の発光素子と、
主光軸方向が載置面と交差する方向となるように前記発光素子が載置される発光素子基部と、
前記発光素子群で発光した光を絞る反射面と、前記主光軸方向の前側に形成された前側開口部と、前記主光軸方向の後側に形成された後側開口部と、を有する反射部と、
前記反射部よりも前記主光軸方向の前方に配置されて光を拡散させる拡散部と、
を備え、
前記反射部は、前記前側開口部の面積が前記後側開口部の面積よりも小さく、
前記発光素子群で発光した光が前記反射面に直接当たるようにしたことを特徴とする光源。
【請求項２】
前記反射部は、前記主光軸方向の前側に向かうにつれて縮径する円錐台形状をしていることを特徴とする請求項１に記載の光源。
【請求項３】
前記主光軸方向から視た状態で、前記発光素子群が前記後側開口部内に配置されていることを特徴とする請求項１または請求項２に記載の光源。
【請求項４】
前記主光軸方向から視た状態で、前記発光素子群の外周側に配置された発光素子が前記反射部で覆われていることを特徴とする請求項３に記載の光源。
【請求項５】
前記主光軸方向から視た状態で、前記発光素子群の中心側に配置された発光素子が前記前側開口部内に配置されていることを特徴とする請求項３または請求項４に記載の光源。
【請求項６】
前記拡散部が固定された天壁部と、前記反射部を覆う側壁部と、を有するカバーを備えており、
前記拡散部は、樹脂で形成されており、
前記天壁部に形成された開口部を覆うように前記拡散部が固定されており、
前記拡散部は、外周を金属製の押さえ板で押さえることで前記天壁部に固定されており、
前記押さえ板と前記拡散部との間にパッキンが介在していることを特徴とする請求項１〜５のうちいずれか１項に記載の光源。
【請求項７】
光源と、
前記光源から照射された光を当該光源の主光軸方向に反射させる反射板と、
を備え、
前記光源は、
異なる色の発光素子を有し、発光素子群を構成する複数の発光素子と、
主光軸方向が載置面と交差する方向となるように前記発光素子が載置される発光素子基部と、
前記発光素子群で発光した光を絞る反射面と、前記発光素子の主光軸方向の前側に形成された前側開口部と、前記発光素子の主光軸方向の後側に形成された後側開口部と、を有する反射部と、
前記反射部よりも前記発光素子の主光軸方向の前方に配置されて光を拡散させる拡散部と、
を備え、
前記反射部は、前記前側開口部の面積が前記後側開口部の面積よりも小さく、
前記発光素子群で発光した光が前記反射面に直接当たるようにしたことを特徴とする照明装置。
【請求項８】
前記反射板は、前記光源側に配置される第１の反射板と、前記第１の反射板よりも前記発光素子の主光軸方向の前方に配置され、前記第１の反射板に着脱可能に連設される第２の反射板と、を備えることを特徴とする請求項７に記載の照明装置。
【請求項９】
前記第１の反射板と、前記第２の反射板とは連設された状態で一体の放物面を構成することを特徴とする請求項８に記載の照明装置。
【発明の詳細な説明】
【技術分野】
【０００１】
本開示は、光源および当該光源を用いた照明装置に関する。
【背景技術】
【０００２】
従来、照明装置として、ＬＥＤ光源部と、ＬＥＤ光源部の光取り出し面側を覆うレンズと、レンズの周部を覆う椀状の反射板と、を備えるものが知られている（例えば、特許文献１参照）。
【０００３】
この特許文献１では、ＬＥＤ光源部から照射される光の色を白色（単色）としている。そして、ＬＥＤ光源部から照射された白色光をレンズで拡散させて、反射板の反射面に到達する白色光を増やすことで、光の照射むらが生じてしまうのを抑制できるようにしている。
【先行技術文献】
【特許文献】
【０００４】
【特許文献１】特開２０１４−０１１０１５号公報
【発明の概要】
【発明が解決しようとする課題】
【０００５】
ところで、照明装置を、赤色光や白色光など様々な色の光を選択的に照射させることのできる照明装置とすることが考えられる。そして、このような照明装置とする場合、異なる色の発光素子を用い、それぞれの発光素子の発光（発光させる色や発光量）を制御し、発光された光を混合させることで所望の色の光を照射できるようにすることが考えられる。
【０００６】
このとき、上記従来技術のように、発光させた光をレンズで拡散させるだけでは、光の混合が不十分となって色むらが生じてしまうことがある。
【０００７】
そこで、本開示は、様々な色の光を選択的に照射させることのできる光源および当該光源を用いた照明装置において、色むらが生じてしまうことを抑制できるようにすることを目的とする。
【課題を解決するための手段】
【０００８】
本開示にかかる光源は、異なる色の発光素子を有し、発光素子群を構成する複数の発光素子と、主光軸方向が載置面と交差する方向となるように前記発光素子が載置される発光素子基部と、を備えている。
【０００９】
また、光源は、前記発光素子群で発光した光を絞る反射面と、前記主光軸方向の前側に形成された前側開口部と、前記主光軸方向の後側に形成された後側開口部と、を有する反射部を備えている。
【００１０】
さらに、光源は、前記反射部よりも前記主光軸方向の前方に配置されて光を拡散させる拡散部を備えている。
【００１１】
そして、前記反射部は、前記前側開口部の面積が前記後側開口部の面積よりも小さく、前記発光素子群で発光した光が前記反射面に直接当たるようにした。
【００１２】
また、本開示にかかる照明装置は、光源と、前記光源から照射された光を当該光源の主光軸方向に反射させる反射板と、を備えている。
【００１３】
また、前記光源は、異なる色の発光素子を有し、発光素子群を構成する複数の発光素子と、主光軸方向が載置面と交差する方向となるように前記発光素子が載置される発光素子基部と、を備えている。
【００１４】
また、前記光源は、前記発光素子群で発光した光を絞る反射面と、前記発光素子の主光軸方向の前側に形成された前側開口部と、前記発光素子の主光軸方向の後側に形成された後側開口部と、を有する反射部を備えている。
【００１５】
さらに、前記光源は、前記反射部よりも前記発光素子の主光軸方向の前方に配置されて光を拡散させる拡散部と、を備えている。
【００１６】
そして、前記反射部は、前記前側開口部の面積が前記後側開口部の面積よりも小さく、前記発光素子群で発光した光が前記反射面に直接当たるようにした。
【発明の効果】
【００１７】
本開示によれば、様々な色の光を選択的に照射させることのできる光源および当該光源を用いた照明装置において、色むらが生じてしまうことを抑制することができるようになる。
【図面の簡単な説明】
【００１８】
【図１】第１実施形態にかかる投光器の外観を模式的に示す斜視図である。
【図２】第１実施形態にかかる投光器本体を示す正面図である。
【図３】第１実施形態にかかる投光器本体を示す側面図である。
【図４】図２のＡ−Ａ断面図である。
【図５】第１実施形態にかかるＬＥＤ光源を示す正面図である。
【図６】図５のＢ−Ｂ断面図である。
【図７】第１実施形態にかかるＬＥＤ光源のケースへの取付方法を説明する分解斜視図である。
【図８】図５のＣ−Ｃ断面図である。
【図９】第１実施形態にかかるＬＥＤ基板を示す正面図である。
【図１０】第２実施形態にかかる投光器本体を示す正面図である。
【図１１】第２実施形態にかかる投光器本体を示す側面図である。
【図１２】図１０のＤ−Ｄ断面図である。
【図１３】第３実施形態にかかる投光器の外観を模式的に示す斜視図である。
【図１４】第３実施形態にかかる投光器本体を示す正面図である。
【図１５】第３実施形態にかかる投光器本体を示す側面図である。
【図１６】図１４のＥ−Ｅ断面図である。
【図１７】第４実施形態にかかる投光器の外観を模式的に示す斜視図である。
【図１８】第４実施形態にかかる投光器本体を示す正面図である。
【図１９】第４実施形態にかかる投光器本体を示す側面図である。
【図２０】図１８のＦ−Ｆ断面図である。
【発明を実施するための形態】
【００１９】
以下、本実施にかかる光源および当該光源を用いた照明装置について、図面を参照しながら詳細に説明する。なお、以下では、照明装置として屋外で使用される投光器を例示するとともに、光源としてＬＥＤ光源を例示する。
【００２０】
また、以下の複数の実施形態には、同様の構成要素が含まれている。よって、以下では、それら同様の構成要素には共通の符号を付与するとともに、重複する説明を省略する。
【００２１】
（第１実施形態）
本実施形態にかかる投光器（照明装置）１は、図１に示すように、内部に収容される光源１００と、光源１００から照射された光を透過させて外部に照射するパネル１２と、を有する投光器本体１０を備えている。
【００２２】
また、投光器（照明装置）１は、ケーブル７１を介して投光器本体１０に電気的に接続される電源ユニット７０を備えている。本実施形態では、投光器本体１０に形成された孔２１ｄから投光器本体１０の内部にケーブル７１を挿入し、後述するＬＥＤ基板（発光素子基部）１３０のコネクタ１５０に電気的に接続させることで、電源ユニット７０を投光器本体１０に電気的に接続させている。
【００２３】
そして、投光器本体１０にケーブル７１を介して電気的に接続された電源ユニット７０を操作することで、投光器本体１０の電源のオン・オフ等が切り替えられるようになっている。
【００２４】
また、本実施形態では、投光器本体１０は、アーム６０に回動可能に取り付けられており、投光器本体１０のアーム６０に対する傾斜角度を調整することで、パネル１２の角度、すなわち、外部に照射される光の照射角度を調整できるようになっている。さらに、アーム６０によって投光器本体１０を所望の角度で保持できるようにしている。
【００２５】
アーム６０は、壁や天井、上台などの造営物に投光器本体１０を固定することが可能な底壁部６１と、底壁部６１の両端から立ち上がる一対の側壁部６２，６２と、を備えており、例えば、鋼板などの金属板を曲げ加工することで形成することができる。
【００２６】
そして、一対の側壁部６２，６２の先端側を投光器本体１０に回動可能に取り付けることで、投光器本体１０をアーム６０に回動可能に支持している。
【００２７】
本実施形態では、図２および図３に示すように、一端にパネル１２が取り付けられたケース本体２１の周壁２１ｃの外周面２１ｆに一対のスペーサ６３を取り付けている。そして、ボルト６５およびナット６６を用いて、側壁部６２，６２の先端側をスペーサ６３，６３にそれぞれ取り付けることで、投光器本体１０をアーム６０に回動可能に支持させている。なお、ナット６６は、接着剤６６ａによってスペーサ６３に固定されている（図４参照）。
【００２８】
さらに、本実施形態では、側壁部６２とスペーサ６３との間に円板６４を介在させており、この円板６４の外周側を側壁部６２の底壁部６１側に設けられた押さえ板６７により押さえることで、投光器本体１０の回動が規制されるようにしている。具体的には、ボルト６８をナット６９に挿通させて締め付けることで、押さえ板６７と側壁部６２との間で円板６４を挟持し、投光器本体１０の回動が規制されるようにしている。なお、ボルト６８を緩めれば、押さえ板６７による円板６４の挟持が解除されるため、投光器本体１０を再度回動させることができるようになる。
【００２９】
また、底壁部６１には、固定用のねじ（図示せず）が挿通される挿通孔６１ａが形成されており、この挿通孔６１ａに挿通されるねじ（図示せず）により、壁や天井、上台などの造営物に投光器本体１０を固定できるようになっている。なお、挿通孔６１ａを、円形の挿通孔と、当該円形の挿通孔を中心とした半円弧状の挿通孔とすれば、造営物に固定された投光器本体１０を、縦方向（側壁部６２が延在する方向）だけでなく、横方向（底壁部６１が延在する方向）へも回動させることができるようになる。
【００３０】
次に、本実施形態にかかる投光器本体１０について、主に図４〜図９を参照しつつ詳細に説明する。
【００３１】
投光器本体１０は、パネル１２が固定されるケース２０を備えており、このケース２０の内部に、光源１００および反射板４０が収容されている。
【００３２】
本実施形態では、ケース２０は略直方体状をしており、一端側（後述する光源１００の主光軸Ａ１方向前側）に略矩形状のパネル１２が固定されている。
【００３３】
具体的には、ケース２０は、ケース本体２１と枠部２２とを備えており、ケース本体２１と枠部２２とでパネル１２の外周部を挟持することで、パネル１２をケース２０に固定している。このとき、パネル１２の両面の外周側にパッキン１３およびパッキン１４を介在させることで、パネル１２と枠部２２との間、およびパネル１２とケース本体２１との間に隙間が形成されてしまうのを抑制できるようにしている。このように、隙間が形成されてしまうのを抑制することで、隙間から雨水や埃等が浸入してしまうのを抑制できるようにしている。
【００３４】
本実施形態では、ケース本体２１は、略四角形状の周壁２１ｃを備えており、周壁２１ｃの両端（主光軸Ａ１方向の両側）に、前側開口２１ａおよび後側開口２１ｂがそれぞれ形成されている。
【００３５】
そして、前側開口２１ａを覆うようにパネル１２が主光軸Ａ１方向の前側に配置されている。
【００３６】
また、ケース本体２１の主光軸Ａ１方向の前側には、枠部２２をケース２１に固定した際に、パッキン１４を主光軸Ａ１方向の前側に押圧する押圧部材１５が連設されている。この押圧部材１５はスペーサとしての機能も有しており、この押圧部材１５を設けることで、ケース本体２１の主光軸Ａ１方向の前側に、枠部２２をケース本体２１に固定する際に用いられるナット１６ｂを配置するためのスペースが形成される。
【００３７】
そして、押圧部材１５の主光軸Ａ１方向の前側に設けたパッキン１４を、パネル１２の裏面側（主光軸Ａ１方向後側の面）の外周部に向けて押圧することで、パネル１２とケース本体２１との間に隙間が形成されてしまうのを抑制できるようにしている。
【００３８】
また、ケース本体２１の主光軸Ａ１方向の前側には、押圧部材１１が設けられており、この押圧部材１１によってパネル１２を主光軸Ａ１方向の前方に押圧するようにしている。なお、本実施形態では、この押圧部材１１の主光軸Ａ１方向の前方には、パネル１２の表面側（主光軸Ａ１方向前側の面）の外周部に当接するパッキン１３が配置されている。そのため、押圧部材１１によってパネル１２を主光軸Ａ１方向の前方に押圧することで、パッキン１３が枠部２２とパネル１２との間でより強固に挟持されることとなる。その結果、パネル１２と枠部２２との間に隙間が形成されてしまうのをより確実に抑制することができ、隙間から雨水や埃等が浸入してしまうのをより確実に抑制できるようになる。
【００３９】
なお、ケース本体２１および枠部２２は、ボルト１６ａおよびナット１６ｂにより固定されている。
【００４０】
一方、ケース本体２１の主光軸Ａ１方向の後側には、後側開口２１ｂを覆うように放熱部５０が設けられており、光源１００で生じた熱をより効率的に外部に放出できるようにしている。
【００４１】
本実施形態では、放熱部５０は、後側開口２１ｂを覆うようにケース本体２１に固定される放熱板５１と、放熱板５１の後面５１ａに設けられる放熱フィン５２と、を備えている。
【００４２】
さらに、放熱部５０は、放熱板５１に連設されるとともに、周壁２１ｃの内面２１ｅに当接する延設部５３を備えている。
【００４３】
放熱板５１および延設部５３は締結具５４により連結されており、放熱板５１には押圧部材１７が締結具５４によって固定されている。この押圧部材１７もスペーサとしての機能を有しており、この押圧部材１７を設けることで、放熱板５１とケース本体２１との間に、放熱板５１と延設部５３とを固定する締結具５４のナット部分を配置するためのスペースが形成される。
【００４４】
また、押圧部材１７はケース本体２１の後側開口２１ｂの周縁部に固定されており、放熱板５１に押圧部材１７を締結具５４によって固定することで、放熱板５１とケース本体２１との間に隙間が形成されてしまうのを抑制できるようにしている。さらに、本実施形態では、押圧部材１７と放熱板５１との間に接着剤１８を塗布することで、放熱板５１とケース本体２１との間に隙間が形成されてしまうのをより確実に抑制できるようにしている。
【００４５】
かかる構成としたケース２０の内部には、上述したように光源１００および反射板４０が収容されている。
【００４６】
本実施形態では、ケース本体２１の内部に支持部材３０が設けられており、この支持部材３０に反射板４０が支持されている。
【００４７】
支持部材３０は、主光軸Ａ１方向の後側に固定部３２が形成されており、この固定部３２を延設部５３に固定することで、支持部材３０が放熱部５０を介してケース本体２１に固定されている。また、支持部材３０の主光軸Ａ１方向の前側には取付片３１が設けられている。
【００４８】
反射板４０は、主光軸Ａ１方向の前側に向かうにつれて拡径する略椀状をしており、主光軸Ａ１方向の前側に前側開口部４３が形成されるとともに、主光軸Ａ１方向の後側に後側開口部４２が形成されている。そして、反射板４０の内面が反射面４１となっており、この反射面４１が放物面の一部を形成している。
【００４９】
また、本実施形態では、反射板４０の前側開口部４３側に外方に延在するフランジ部４４が形成されており、ねじ４５を用いてフランジ部４４を取付片３１に取り付けることで、反射板４０が支持部材３０に取り付けられている。
【００５０】
そして、反射板４０の後側開口部４２よりも後方に、光源１００が配置されている。このとき、反射面４１を含む仮想放物面の焦点部分に、光源１００の発光面（本実施形態では、後述する拡散部１９０）が配置されるようにするのが好ましい。こうすれば、光源１００から照射された光を反射面４２によって主光軸Ａ１方向に反射させることができ、前側開口部４３の主光軸Ａ１方向の前側に配置されたパネル１２から、略平行な光を外部に照射させることができるようになる。
【００５１】
光源１００は、ＬＥＤ群（発光素子群）１４０を構成する複数のＬＥＤ（発光素子）１４１と、複数のＬＥＤ（発光素子）１４１が配置されるＬＥＤ基板（発光素子基部）１３０と、を備えている。
【００５２】
そして、複数のＬＥＤ１４１は、主光軸Ａ２の方向がＬＥＤ基板１３０の載置面１３０ａと直交（交差）する方向となるように、ＬＥＤ基板１３０の載置面１３０ａ上に配置されている。
【００５３】
このように、本実施形態では、複数のＬＥＤ１４１は、それぞれの主光軸Ａ２の方向が略一致するようにＬＥＤ基板１３０に配置されている。さらに、本実施形態では、主光軸Ａ２の方向が光源１００の主光軸Ａ１の方向となるようにしている。
【００５４】
本実施形態では、図５〜図８に示すように、載置面１３０ａ上にＬＥＤ群１４０を配置したＬＥＤ基板１３０は、台座１２０を介して取付基板１１０に取り付けられている。なお、図９に示す符号１３１は、ＬＥＤ基板１３０を取付基板１１０に取り付けるためのねじが挿入されるねじ孔である。
【００５５】
また、複数のＬＥＤ１４１は、異なる色のＬＥＤ（発光素子）を有している。本実施形態では、赤色ＬＥＤ、緑色ＬＥＤ、青色ＬＥＤ、白色ＬＥＤの４種類のＬＥＤ１４１を用いている。そして、複数個の赤色ＬＥＤ、複数個の緑色ＬＥＤ、複数個の青色ＬＥＤ、および複数個の白色ＬＥＤでＬＥＤ群（発光素子群）１４０を構成している。
【００５６】
複数のＬＥＤ１４１は、図９に示すように、ＬＥＤ基板１３０の載置面１３０ａ上に、放射状、もしくは、同心円状に配置することができる。このとき、各色のＬＥＤをランダムに配置させることもできるし、放射状や同心円状に同色のＬＥＤをまとめて配置させるようにすることもできる。なお、ＬＥＤの配置方法は上述の方法に限られるものではない。
【００５７】
このように、異なる色のＬＥＤをそれぞれ複数個用い、各ＬＥＤの発光や発光量を適宜調整することで、所望の色の光を選択的に照射させることができるようになる。
【００５８】
すなわち、本実施形態にかかる光源１００は、いわゆるフルカラーの照射に対応した光源となっており、このような光源１００を用いることで、フルカラーの照射に対応した投光器（照明装置）１とすることができる。
【００５９】
ここで、本実施形態では、光源１００から照射される光に色むらが生じてしまうのを抑制できるようにした。
【００６０】
具体的には、ＬＥＤ群１４０で発光した光を絞る（ＬＥＤ群１４０の中心側に向かうように反射させる）反射部としての反射板１６０を設け、光の混合が促進されるようにした。
【００６１】
この反射板１６０は、ＬＥＤ群１４０で発光した光を絞る反射面１６１と、主光軸Ａ２（Ａ１）方向の前側に形成された前側開口部１６３と、主光軸Ａ２（Ａ１）方向の後側に形成された後側開口部１６２と、を有している。
【００６２】
また、反射板１６０は、平坦部１６４と、この平坦部１６４に連設された傾斜部１６５と、を備えており、傾斜部１６５の内面が反射面１６１となっている。
【００６３】
また、平坦部１６４をねじ１６６によって取付基板１１０に突設されたリブ１１１に取り付けることで、反射板１６０が取付基板１１０に取り付けられている。
【００６４】
このリブ１１１は、ＬＥＤ群１４０よりも主光軸Ａ２（Ａ１）方向の前側に突出するように形成されており、傾斜部１６５（反射面１６１）は、ＬＥＤ群１４０よりも主光軸Ａ２（Ａ１）方向の前方に配置されている。
【００６５】
さらに、傾斜部１６５は、主光軸Ａ２（Ａ１）方向の前側に向かうにつれて縮径する円錐台形状をしており、前側開口部１６３の面積が後側開口部１６２の面積よりも小さくなっている。
【００６６】
このように、本実施形態では、反射板１６０は、主光軸Ａ２（Ａ１）方向の前側に向かうにつれて縮径する円錐台形状をしている。
【００６７】
さらに、本実施形態では、主光軸Ａ２（Ａ１）方向から視た状態で、ＬＥＤ群１４０の全体が後側開口部１６２内に配置される（傾斜部１６５の後側端縁が描く領域内に存在する）ようにした。
【００６８】
そして、主光軸Ａ２（Ａ１）方向から視た状態で、ＬＥＤ群１４０の外周側に配置されたＬＥＤ１４１が反射部１６０（傾斜部１６５）で覆われるようにした。
【００６９】
また、主光軸Ａ２（Ａ１）方向から視た状態で、ＬＥＤ群１４０の中心側に配置されたＬＥＤ１４１が前側開口部１６３内に配置されるようにした。すなわち、主光軸Ａ２（Ａ１）方向から視た状態で、ＬＥＤ群１４０の中心側に配置されたＬＥＤ１４１が前側開口部１６３から露出するようにした。
【００７０】
このように、主光軸Ａ２（Ａ１）方向から視た状態で、ＬＥＤ群１４０の全体が後側開口部１６２内に配置されるようにすることで、ＬＥＤ群１４０で発光した光をより効率的に前側開口部１６３から前方に照射させることができる。
【００７１】
また、主光軸Ａ２（Ａ１）方向から視た状態で、ＬＥＤ群１４０の外周側に配置されたＬＥＤ１４１が反射部１６０（傾斜部１６５）で覆われるようにすることで、ＬＥＤ群１４０の外周側で発光した光をより確実に反射面１６１で反射させることができる。その結果、光をより確実に混合させることができる。
【００７２】
そして、主光軸Ａ２（Ａ１）方向から視た状態で、ＬＥＤ群１４０の中心側に配置されたＬＥＤ１４１が前側開口部１６３内に配置されるようにすることで、中心側で発光した光の直進性が反射部１６０によって妨げられてしまうのが抑制され、ＬＥＤ群１４０の中心側で光の混合を行うことができる。
【００７３】
さらに、赤色ＬＥＤ等、１つの色のＬＥＤの全てを前側開口部１６３から露出させるようにした場合には、当該色の光を照射する際には、光がスムースに拡散部１９０に到達し、より効率よく当該色の光を照射させることができる。
【００７４】
また、光を拡散させる拡散部１９０を、反射部１６０よりも主光軸Ａ２（Ａ１）方向の前方に配置されるようにした。
【００７５】
本実施形態では、拡散部１９０として乳白色のアクリル板（樹脂製の拡散部）を用いている。そして、このアクリル板（拡散部１９０）をカバー１７０の天壁部１７１に固定している。
【００７６】
カバー１７０は、拡散部１９０が固定された天壁部１７１と、反射部１６０を覆う側壁部１７２と、を有している。
【００７７】
天壁部１７１には、前側開口部１６３に対向する開口部１７１ａが形成されており、この開口部１７１ａを後方から覆うようにアクリル板（拡散部１９０）が固定されている。
【００７８】
具体的には、アクリル板（拡散部１９０）は、外周１９１を金属製の押さえ板１８０で押さえることで天壁部１７１に固定されている。
【００７９】
押さえ板１８０は、天壁部１７１にねじ１８４で固定される取付部と、アクリル板（拡散部１９０）の外周１９１を押さえる押さえ部１８２と、を備えている。そして、押さえ板１８０の押さえ部１８２とアクリル板（拡散部１９０）との間には、パッキン１８３を介在させている。
【００８０】
このように、押さえ部１８２とアクリル板（拡散部１９０）との間にパッキン１８３を介在させた状態で、アクリル板（拡散部１９０）を天壁部１７１に固定することで、樹脂と金属との接触によって生じる異音を抑制することができるようになる。
【００８１】
また、カバー１７０の長手方向両側に位置する側壁部１７２には取付片１７３が設けられており、この取付片１７３をねじ１７４によって取付基板１１０に取り付けることで、カバー１７０が取付基板１１０に取り付けられている。
【００８２】
なお、カバー１７０の長手方向両側に位置する側壁部１７２の先端と取付基板１１０との間には、隙間１７２ａが形成されており、この隙間１７２ａは、ケーブル７１を挿入するために設けられたものである。そして、隙間１７２ａから挿入したケーブル７１をＬＥＤ基板１３０の載置面１３０ａ上に載置（実装）されたコネクタ１５０に電気的に接続することで、電源ユニット７０がＬＥＤ基板１３０に電気的に接続されることとなる。
【００８３】
このように、本実施形態では、ＬＥＤ群１４０の発光制御を電源ユニット７０で行うことができるようになっており、電源ユニット７０を操作することで、投光器（照明装置）１の調光や照射する光の色の選択等を行うことができるようになっている。
【００８４】
そして、本実施形態では、光源１００はモジュール化されており、図７に示すように、放熱板５１（ケース２０）に着脱可能に取り付けられている。
【００８５】
具体的には、取付基板１１０には、放熱板５１に挿通されたボルト１１３の軸１１３ａが挿通可能な孔１１２が形成されている。そして、この孔１１２にボルト１１３の軸１１３ａを挿通した状態で、ナット１１４を締結することで、モジュール化された光源１００が放熱板５１（ケース２０）に取り付けられる。
【００８６】
さらに、本実施形態では、孔１１２は、ボルト１１３の軸１１３ａの径よりも大きく、ナット１１４の径よりも小さい幅で延在する長孔１１２ａと、ナット１１４の径よりも大きい丸孔１１２ｂとで構成されたいわゆるだるま孔となっている。そのため、ナット１１４をボルト１１３から取り外すことなく、モジュール化された光源１００を放熱板５１（ケース２０）に着脱させることができるようになっている。
【００８７】
具体的には、ナット１１４を緩め、モジュール化された光源１００を長孔１１２ａの延在方向に沿ってスライドさせ、ナット１１４を丸孔１１２ｂに挿通させることで、モジュール化された光源１００を放熱板５１（ケース２０）から取り外すことができる。
【００８８】
一方、モジュール化された光源１００の丸孔１１２ｂにナット１１４を挿通させ、長孔１１２ａの延在方向に沿ってスライドさせ、ナット１１４を締めることで、モジュール化された光源１００を放熱板５１（ケース２０）に取り付けることができる。このとき、主光軸Ａ２方向から視た状態で、光源１００の開口部１７１ａの中心と、反射板４０の後側開口部４２の中心とを略一致させた状態で、光源１００を放熱板５１（ケース２０）に取り付けるようにするのが好ましい。
【００８９】
また、本実施形態では、反射板４０の後側開口部４２が開口部１７１ａよりも光軸Ａ２方向前方に配置されており、後側開口部４２の径を開口部１７１ａの径よりも大きくしている。こうすることで、開口部１７１ａから照射された光をより確実に反射板４０で反射させることができるようになる。なお、光源１００の外周が反射板４０で覆われるようにすることも可能である。
【００９０】
また、本実施形態では、主光軸Ａ２方向から視た状態で、光源１００の開口部１７１ａおよび反射板４０の後側開口部４２だけでなく、反射板１６０の前側開口部１６３、後側開口部１６２、反射板４０の前側開口部４３およびパネル１２の中心も略一致させている。
【００９１】
以上説明したように、本実施形態の光源１００は、異なる色のＬＥＤ（発光素子）１１４を有し、ＬＥＤ群（発光素子群）１４０を構成する複数のＬＥＤ（発光素子）１１４を備えている。また、光源１００は、主光軸Ａ２方向が載置面１３０ａと直交（交差）する方向となるようにＬＥＤ（発光素子）１４１が載置されるＬＥＤ基板（発光素子基部）１３０を備えている。
【００９２】
また、光源１００は、ＬＥＤ群（発光素子群）１４０で発光した光を絞る反射面１６１と、主光軸Ａ２方向の前側に形成された前側開口部１６３と、主光軸Ａ２方向の後側に形成された後側開口部１６２と、を有する反射板（反射部）１６０を備えている。
【００９３】
さらに、光源１００は、反射板（反射部）１６０よりも主光軸Ａ２方向の前方に配置されて光を拡散させる拡散部１９０を備えている。
【００９４】
そして、前側開口部１６３の面積を後側開口部１６２の面積よりも小さくした。
【００９５】
こうすれば、ＬＥＤ群（発光素子群）１４０で発光した光が反射板（反射部）１６０によって内側に向けて反射される（図８の矢印参照）。その結果、主光軸Ａ２方向から視た状態におけるＬＥＤ群（発光素子群）１４０の中心部分において、光の混合が促進され、より確実に混合された光が拡散部１９０を介して拡散されることとなる。したがって、色むらの発生が抑制された光を光源１００から照射させることができるようになる。
【００９６】
また、光源１００から照射された光を当該光源１００の主光軸Ａ１方向に反射させる反射板４０を有する投光器（照明装置）１で、当該光源１００を用いることで、色むらの発生が抑制された光を外部に照射させることができるようになる。
【００９７】
このように、本実施形態によれば、様々な色の光を選択的に照射させることのできる光源１００および当該光源１００を用いた投光器（照明装置）１において、色むらが生じてしまうことを抑制することができるようになる。
【００９８】
また、本実施形態では、反射板（反射部）１６０は、主光軸Ａ２方向の前側に向かうにつれて縮径する円錐台形状をしている。
【００９９】
こうすれば、ＬＥＤ群（発光素子群）１４０の外周側に配置されたＬＥＤ（発光素子）１４１で発光した光をより均一にＬＥＤ群（発光素子群）１４０の中心側に向けることができる。その結果、色むらが生じてしまうことをより確実に抑制することができる。
【０１００】
また、本実施形態では、主光軸Ａ２方向から視た状態で、ＬＥＤ群１４０が後側開口部１６２内に配置されるようにした。
【０１０１】
こうすれば、ＬＥＤ群１４０で発光した光をより効率的に前側開口部１６３から前方に照射させることができる。
【０１０２】
また、本実施形態では、主光軸Ａ２方向から視た状態で、ＬＥＤ群１４０の外周側に配置されたＬＥＤ１４１が反射部１６０で覆われるようにした。
【０１０３】
こうすれば、ＬＥＤ群１４０の外周側で発光した光をより確実に反射面１６１で反射させることができ、光をより確実に混合させることができるようになる。
【０１０４】
また、本実施形態では、主光軸Ａ２方向から視た状態で、ＬＥＤ群１４０の中心側に配置されたＬＥＤ１４１が前側開口部１６３内に配置されるようにした。
【０１０５】
こうすれば、中心側で発光した光の直進性が反射部１６０によって妨げられてしまうのが抑制され、ＬＥＤ群１４０の中心側で光の混合を行うことができるようになる。
【０１０６】
また、本実施形態では、光源１００は、拡散部１９０が固定された天壁部１７１と、反反射板（反射部）１６０を覆う側壁部１７２と、を有するカバー１７０を備えている。
【０１０７】
そして、拡散部１９０は、樹脂で形成されており、天壁部１７１に形成された開口部１７１ａを覆うように固定されている。
【０１０８】
このとき、拡散部１９０は、外周１９１を金属製の押さえ板１８０で押さえることで天壁部１７１に固定されており、押さえ板１８０と拡散部１９０との間にパッキン１８３が介在している。
【０１０９】
こうすれば、樹脂と金属との接触によって生じる異音を抑制することができるようになる。
【０１１０】
（第２実施形態）
本実施形態にかかる投光器（照明装置）１Ａは、基本的に上記第１実施形態で示した投光器（照明装置）１とほぼ同様の構成をしている。すなわち、投光器（照明装置）１Ａは、図１０および図１１に示すように、内部に収容される光源１００と、光源１００から照射された光を透過させて外部に照射するパネル１２と、を有する投光器本体１０Ａを備えている。
【０１１１】
なお、本実施形態においても、投光器（照明装置）１Ａは、ケーブル７１を介して投光器本体１０Ａに電気的に接続される電源ユニット７０を備えているが、本実施形態では図示省略している。
【０１１２】
また、光源１００としては、上記第１実施形態で示した光源１００と同一のものを用いている。
【０１１３】
ここで、本実施形態にかかる投光器（照明装置）１Ａでは、図１０および図１１に示すように、投光器本体１０Ａにフード２００が取り付けられており、このフード２００によって、光の照射方向が規制されるようにしている。本実施形態では、フード２００は、ねじ２０２によって投光器本体１０Ａに取り付けられている。
【０１１４】
また、反射板４０Ａが、光源１００側に配置される第１の反射板４０ａと、第１の反射板４０ａよりもＬＥＤ（発光素子）の主光軸Ａ２方向の前方に配置され、第１の反射板４０ａに着脱可能に連設される第２の反射板４０ｂと、を備えている（図１２参照）。
【０１１５】
具体的には、第１の反射板４０ａは、主光軸Ａ１方向の前側に向かうにつれて拡径する略椀状をしており、主光軸Ａ１方向の前側に前側開口部４３ａが形成されるとともに、主光軸Ａ１方向の後側に後側開口部４２ａが形成されている。そして、反射板４０ａの内面が反射面４１ａとなっており、この反射面４１ａが放物面の一部を形成している。
【０１１６】
また、本実施形態では、反射板４０ａの前側開口部４３側に外方に延在するフランジ部４４ａが形成されている。そして、ねじ４５ａを用いてフランジ部４４ａを後述する第２の反射板４０ｂのフランジ部４９ｂに取り付けることで、第２の反射板４０ｂに取り付けられている。
【０１１７】
この第１の反射板４０ａとしては、上記第１実施形態で示した反射板４０と同一のものを用いることができる。
【０１１８】
一方、第２の反射板４０ｂは、主光軸Ａ１方向の前側に向かうにつれて拡径する略椀状をしており、主光軸Ａ１方向の前側に前側開口部４３ｂが形成されるとともに、主光軸Ａ１方向の後側に後側開口部４２ｂが形成されている。そして、第２の反射板４０の内面が反射面４１ｂとなっており、この反射面４１ｂが放物面の一部を形成している。
【０１１９】
また、本実施形態では、第２の反射板４０ｂの前側開口部４３ｂ側に外方に延在するフランジ部４４ｂが形成されており、ねじ４５ｂを用いてフランジ部４４ｂを取付片３１に取り付けることで、第２の反射板４０ｂが支持部材３０に取り付けられている。
【０１２０】
また、上述したように、第２の反射板４０ｂの後側開口部４２ｂ側には、外方に延在するフランジ部４９ｂが形成されている。そして、ねじ４５ａを用いてフランジ部４９ｂをフランジ部４４ａに取り付けることで、第１の反射板４０ａと第２の反射板４０ｂとが一体に取り付けられて、反射板４０Ａが形成されている。このとき、反射面４１ａと反射面４１ｂとが滑らかに連設されており、反射板４０Ａは、主光軸Ａ１方向に長い反射板となっている。すなわち、第１の反射板４０ａと、第２の反射板４０ｂとは連設された状態で一体の放物面を構成している。
【０１２１】
こうすることで、第１の反射板４０ａと第２の反射板４０ｂとを連設させて形成した反射板４０Ａに、主光軸Ａ１方向に長い反射板を一体に形成した場合と同様の機能を持たせることができる。
【０１２２】
具体的には、反射板４０Ａを主光軸Ａ１方向に長くすると、投光器（照明装置）１Ａによってより遠方まで照射できるようになる。一方、上記第１実施形態のように、反射板４０を主光軸Ａ１方向に短くすると、反射板４０Ａに較べて、照射距離は短くなるが、より幅広い範囲を照射することができるようになる。
【０１２３】
なお、本実施形態では、２つの反射板を連結させたものを例示しているが、３つ以上の反射板を連設させるようにすることも可能である。
【０１２４】
以上の本実施形態によっても、上記第１実施形態と同様の作用、効果を奏することができる。
【０１２５】
また、本実施形態では、反射板４０Ａが、光源１００側に配置される第１の反射板４０ａと、第１の反射板４０ａよりもＬＥＤ（発光素子）の主光軸Ａ２方向の前方に配置され、第１の反射板４０ａに着脱可能に連設される第２の反射板４０ｂと、を備えている。
【０１２６】
このように、第１の反射板４０ａおよび第２の反射板４０ｂとで、主光軸Ａ１方向に長い反射板４０Ａを形成することで、主光軸Ａ１方向に長い反射板４０Ａを一体に形成した場合に較べて、反射板４０Ａの製造が容易になる。さらに、製造コストの削減を図ることもできる。
【０１２７】
なお、本実施形態では、第１の反射板４０ａが第２の反射板４０ｂのみに支持されているものを例示したが、第１の反射板４０ａも支持部材３０に支持されるようにして、第２の反射板４０ｂを取り外した状態でも使用できるようにすることも可能である。こうすれば、１つの投光器を用いて、幅広く照らしたり、より遠くまで照らしたりすることができるようになる。
【０１２８】
（第３実施形態）
本実施形態にかかる投光器（照明装置）１Ｂは、基本的に上記第１実施形態で示した投光器（照明装置）１とほぼ同様の構成をしている。すなわち、投光器（照明装置）１Ｂは、図１３〜図１６に示すように、内部に収容される光源１００と、光源１００から照射された光を透過させて外部に照射するパネル１２と、を有する投光器本体１０Ｂを備えている。
【０１２９】
また、本実施形態においても、投光器（照明装置）１Ｂは、ケーブル７１を介して投光器本体１０Ｂに電気的に接続される電源ユニット７０を備えている。
【０１３０】
また、光源１００としては、上記第１実施形態で示した光源１００と同一のものを用いている。
【０１３１】
ここで、本実施形態にかかる投光器（照明装置）１Ｂでは、パネル１２を覆う遮光板３００が設けられている。
【０１３２】
本実施形態では、遮光板３００には、孔３０１が形成されており、この孔３０１にねじ３０２を挿通することで、遮光板３００が投光器本体１０Ｂに固定されている。
【０１３３】
なお、本実施形態では、孔３０１は、ねじ３０１の軸の径よりも大きく、頭部の径よりも小さい幅で延在する長孔３０１ａと、頭部の径よりも大きい丸孔３０１ｂとで構成されたいわゆるだるま孔となっている。そのため、ねじ３０２を取り外すことなく、遮光板３００をスライドさせたり、投光器本体１０Ｂから着脱させたりすることができるようになっている。また、遮光板３００には、固定孔３０３が形成されている。そして、この固定孔３０３に紐３０４の一端を固定し、紐３０４の他端をアーム６０等に固定させるようにすれば、取り外した遮光板３００をなくしてしまうのを抑制することができる。
【０１３４】
なお、本実施形態では、遮光板３００の上端を波形にしたものを例示したが、遮光板の輪郭形状は様々な形状とすることができる。
【０１３５】
また、本実施形態では、反射板４０Ｂの形状が上記第１および第２実施形態で示した反射板４０，４０Ａとは異なっている。
【０１３６】
本実施形態では、反射板４０Ｂは、１枚の板状部材を折り曲げた形状をしている。具体的には、反射板４０Ｂは、底壁部４６Ｂと、底壁部４６Ｂの両端に連設された一対の側壁部４７Ｂ，４７Ｂと、を備えており、この底壁部４６Ｂおよび側壁部４７Ｂの内面が反射面４１Ｂとなっている。
【０１３７】
そして、底壁部４６Ｂの中央部には、正面視（主光軸Ａ１方向から視た状態）で略円形をした後側開口４２Ｂが形成されており、この後側開口４２Ｂの後方に光源１００が配置されている。
【０１３８】
また、一対の側壁部４７Ｂ，４７Ｂは、底壁部４６Ｂから離れるにつれて距離が大きくなるように傾斜しており、一対の側壁部４７Ｂ，４７Ｂの先端に、正面視（主光軸Ａ１方向から視た状態）で略長方形状の前側開口４３Ｂが形成されている。さらに、一対の側壁部４７Ｂ，４７Ｂの先端には、フランジ部４４Ｂが形成されており、このフランジ部４４Ｂをねじ４５Ｂを用いて取付片３１に取り付けることで、反射板４０Ｂが支持部材３０に取り付けられている。
【０１３９】
以上の本実施形態によっても、上記第１実施形態と同様の作用、効果を奏することができる。
【０１４０】
（第４実施形態）
本実施形態にかかる投光器（照明装置）１Ｃは、基本的に上記第１実施形態で示した投光器（照明装置）１とほぼ同様の構成をしている。すなわち、投光器（照明装置）１Ｃは、図１７〜図２０に示すように、内部に収容される光源１００と、光源１００から照射された光を透過させて外部に照射するパネル１２と、を有する投光器本体１０Ｃを備えている。なお、本実施形態では、投光器本体１０Ｃの形状が、幅広の直方体形状をしている。
【０１４１】
また、本実施形態においても、投光器（照明装置）１Ｃは、ケーブル７１を介して投光器本体１０Ｃに電気的に接続される電源ユニット７０を備えている。
【０１４２】
また、光源１００としては、上記第１実施形態で示した光源１００と同一のものを用いている。
【０１４３】
ここで、本実施形態にかかる投光器（照明装置）１Ｃでは、反射板４０Ｃの形状が上記第１および第２実施形態で示した反射板４０，４０Ａとは異なっている。
【０１４４】
本実施形態では、反射板４０Ｃは、細長い１枚の板状部材を折り曲げた形状をしている。具体的には、反射板４０Ｃは、底壁部４６Ｃと、底壁部４６Ｃの両端に連設された一対の側壁部４７Ｃ，４７Ｃと、を備えており、この底壁部４６Ｃおよび側壁部４７Ｃの内面が反射面４１Ｃとなっている。
【０１４５】
そして、底壁部４６Ｃの中央部には、正面視（主光軸Ａ１方向から視た状態）で略円形をした後側開口４２Ｃが形成されており、この後側開口４２Ｃの後方に光源１００が配置されている。
【０１４６】
また、一対の側壁部４７Ｃ，４７Ｃは、底壁部４６Ｃから離れるにつれて距離が大きくなるように傾斜しており、一対の側壁部４７Ｃ，４７Ｃの先端に、正面視（主光軸Ａ１方向から視た状態）で略長方形状の前側開口４３Ｃが形成されている。さらに、一対の側壁部４７Ｃ，４７Ｃの先端には、フランジ部４４Ｃが形成されており、このフランジ部４４Ｃをねじ４５Ｃを用いて取付片３１に取り付けることで、反射板４０Ｃが支持部材３０に取り付けられている。
【０１４７】
以上の本実施形態によっても、上記第１実施形態と同様の作用、効果を奏することができる。
【０１４８】
なお、本実施形態では、放熱板５１の面積が大きいため放熱フィンを設けていないものを例示しているが、上記第１〜第３実施形態で示したように放熱フィンを設けるようにしてもよい。また、上記第１〜第３実施形態において、放熱フィンを設けないようにしてもよい。
【０１４９】
以上、本開示の好適な実施形態について例示して説明したが、上記実施形態には限定されず、種々の変形が可能である。
【０１５０】
例えば、上記各実施形態では、照明装置として、屋外で使用される投光器を例示したが、天井に取り付けられるダウンライト等の照明装置に適用することも可能である。
【０１５１】
また、上記各実施形態では、発光素子としてＬＥＤを例示したが、半導体光源等の発光素子にも適用することが可能である。
【０１５２】
また、上記各実施形態では、円錐台状の反射部を例示したが、反射部の形状はこれに限るものではなく、光を絞ることのできる形状であればよい。
【０１５３】
また、上記第１実施形態で示した投光器本体にフードを設ける等、上記各実施形態で示した構成を適宜組み合わせた照明装置とすることも可能である。
【０１５４】
また、ケース本体やパネル、その他細部のスペック（形状、大きさ、レイアウト等）も適宜に変更可能である。
【符号の説明】
【０１５５】
１，１Ａ，１Ｂ，１Ｃ  投光器（照明装置）
４０  反射板
４０Ａ  反射板
４０ａ  第１の反射板
４０ｂ  第２の反射板
１００  光源
１３０  ＬＥＤ基板（発光素子基部）
１３０ａ  載置面
１４０  ＬＥＤ群（発光素子群）
１４１  ＬＥＤ（発光素子）
１６０  反射板（反射部）
１６１  反射面
１６２  後側開口
１６３  前側開口
１７０  カバー
１７１  天壁部
１７１ａ  開口部
１７２  側壁
１８０  押さえ板
１８３  パッキン
１９０  拡散部（乳白色のアクリル板）
１９１  外周部
Ａ１  光源の主光軸
Ａ２  ＬＥＤ（発光素子）の主光軸
【図１】
0006583813.tif 000002
【図２】
0006583813.tif 000003
【図３】
0006583813.tif 000004
【図４】
0006583813.tif 000005
【図５】
0006583813.tif 000006
【図６】
0006583813.tif 000007
【図７】
0006583813.tif 000008
【図８】
0006583813.tif 000009
【図９】
0006583813.tif 000010
【図１０】
0006583813.tif 000011
【図１１】
0006583813.tif 000012
【図１２】
0006583813.tif 000013
【図１３】
0006583813.tif 000014
【図１４】
0006583813.tif 000015
【図１５】
0006583813.tif 000016
【図１６】
0006583813.tif 000017
【図１７】
0006583813.tif 000018
【図１８】
0006583813.tif 000019
【図１９】
0006583813.tif 000020
【図２０】
0006583813.tif 000021